(57)【特許請求の範囲】
【請求項１】
取付け外筒内に固定筒を挿入し、該固定筒の端末の係止凸部を該取付け外筒の端末に係止し、更に該取付け外筒内には該固定筒の外側に基板から延設される取付け内筒を挿入し、該基板の取付け内筒開口部から外出する固定筒頭部ピン孔に抜け止めピンを挿通した状態で該取付け内筒開口部に差渡すことによって、該取付け内筒を該取付け外筒内に嵌着固定したことを特徴とする嵌着構造。
【請求項２】
該固定筒には端末から複数個の切欠きと、該複数個の切欠き間にスカート部が設けられ、該スカート部端末に係止凸部を設け、該取付け外筒の端末には該固定筒の係止凸部が係止する係止切欠き部を設け、更に該取り付け内筒の端末には切欠きを設け、該取付け内筒の切欠き間の凸部が該固定筒の係止凸部内側において該固定筒のスカート部間に嵌合して該固定筒の係止凸部の軸心方向の変形を阻止している請求項１に記載の嵌着構造。
【請求項３】
便器本体上面後部に配置されている取付け外筒内に固定筒を挿入し、該固定筒の端末の係止凸部を該取付け外筒の端末に係止し、更に該取付け外筒内には該固定筒の外側に便器背もたれ両側辺部下端から差出されている取付け内筒を挿入し、基板の取付け内筒開口部から外出する固定筒頭部ピン孔に抜け止めピンを挿通した状態で該取付け内筒開口部に差渡すことによって、該取付け内筒を該取付け外筒内に嵌着固定したことを特徴とする便器背もたれ取付け構造。
【請求項４】
該背もたれの両側辺部は後側に開いている請求項３に記載の便器背もたれ取付け構造。
【発明の詳細な説明】
【０００１】
【産業上の利用分野】
本発明は、例えば携帯用便器の背もたれの取付けに適用される嵌着構造に関するものである。
【０００２】
【従来の技術】
図１に示すように携帯用便器(1) において、便器本体(2) に使用者が体を支えるためのアームレスト(3,3) と背もたれ(4) とを取り付けたものが提供されている。
上記背もたれ(4) を便器本体(2) に取付けるには、図８〜図１０に示すように背もたれ(4) の両側辺部(5,5) の下端から取付け内筒(6,6) を差出す。該取付け内筒(6) の前後において下端からは一対の切溝(7,7) が設けられ、更に左右において下端からは側方に向けて爪(8,8) が差出され、該取付け内筒(6,6) を便器本体(2) 上面後部両側部に設けられている取付け外筒(9,9) 内にそれぞれ挿着する。図９に示すように該取付け外筒(9) は該便器本体(2) 内においてリブ(91,91) によって補強されて支持されており、該取付け外筒(9) の底部に相対して設けられている係止切欠き部(10,10) に該取付け内筒(6) の爪(8,8) を係合し、更に該取付け内筒(6) 内に基板(11)から垂設されている固定筒(12)を挿着する。該固定筒(12)には前後において下端から一対の切溝(13,13) が設けられ、該切溝(13,13) の上端縁には爪(14,14) が突設され、該爪(14,14) が該取付け内筒(6) の切溝(7,7) の上端縁に係合する。
該取付け外筒(9) の底部中央からは芯筒(15)が立設されており、該芯筒(15)は該固定筒(12)内に挿入されて該固定筒(12)が切溝(13,13) を介して左右幅を弾性的に縮小変形することを阻止し、更に該固定筒(12)は該取付け内筒(6) が切溝(7,7) を介して左右幅を弾性的に縮小変形することを阻止し、このようにして該背もたれ(4) の取付け内筒(6,6) は便器本体(2) の取付け外筒(9,9) に挿着固定される。（特開平１１−２６７０６７号）。
【０００３】
【発明が解決しようとする課題】
上記従来の背もたれ取付け構造にあっては、背もたれ(4) 取付け後、即ち背もたれ(4) の取付け内筒(6,6) を便器本体(2) の取付け外筒(9,9) に挿着固定した状態では背もたれ(4) を取外すことが出来なくなるという問題点があった。
【０００４】
【課題を解決するための手段】
本発明は上記従来の課題を解決するための手段として、取付け外筒(9) 内に固定筒(12A) を挿入し、該固定筒(12A) の端末の係止凸部(18,18) を該取付け外筒(9) の端末に係止し、更に該取付け外筒(9) 内には該固定筒(12A) の外側に基板から延設される取付け内筒(6A)を挿入し、該基板の取付け内筒(6A)開口部から外出する固定筒(12A) 頭部ピン孔(20)に抜け止めピン(19)を挿通した状態で該取付け内筒(6A)開口部に差渡すことによって、該取付け内筒(6A)を該取付け外筒(9) 内に嵌着固定した嵌着構造を提供するものである。
【０００５】
該固定筒(12A) には端末から複数個の切欠き(16,16) と、該複数個の切欠き(16,16) 間にスカート部(17A,17B) が設けられ、該スカート部(17B,17B) 端末に係止凸部(18,18) を設け、該取付け外筒(9) の端末には該固定筒(12A) の係止凸部(18,18) が係止する係止切欠き部(10,10) を設け、更に該取り付け内筒(6A)の端末には切欠き(22A,22B) を設け、該取付け内筒(6A)の切欠き(22A,22B) 間の凸部(23,23) が該固定筒(12A) の係止凸部(18,18) 内側において該固定筒(12A) のスカート部(17A,17B) 間に嵌合して該固定筒(12A) の係止凸部(18,18) の軸心方向の変形を阻止していることが望ましい。
【０００６】
そして本発明は便器本体上面後部に配置されている取付け外筒内に固定筒を挿入し、該固定筒の端末の係止凸部を該取付け外筒の端末に係止し、更に該取付け外筒内には該固定筒の外側に便器背もたれ両側辺部下端から差出されている取付け内筒を挿入し、基板の取付け内筒開口部から外出する固定筒頭部ピン孔に抜け止めピンを挿通した状態で該取付け内筒開口部に差渡すことによって、該取付け内筒を該取付け外筒内に嵌着固定した便器背もたれ取付け構造を提供するものである。
更に、該背もたれ(4) の両側辺部(5,5) は後側に開いていることが望ましい。
【０００７】
【作用】
本発明の嵌着構造では、取付け外筒(9) 内に挿入された固定筒(12A) 端末の係止凸部(18,18) を該取付け外筒(9) の端末に係止し、該取付け外筒(9) 内において該固定筒(12A) 外側に挿入された取付け内筒(6A)の開口部から外出する固定筒(12A) 頭部ピン孔(20)に抜け止めピン(19)を挿通した状態で該取付け内筒(6A)開口部に差渡すことによって該取付け内筒(6A)を該取付け外筒(9) 内に嵌着固定するため、該抜け止めピン(19)を引抜くと該取付け内筒(6A)は着脱可能となり、該嵌着構造を便器背もたれ(4) の取付け構造に使用する場合、該背もたれ(4) の両側辺部(5,5) 後側から手を差入れて該抜け止めピン(19,19) の抜き挿しを行えば、状況に応じて該背もたれ(4) を着脱することが出来る。
【０００８】
更に、該取付け内筒(6A)端末の切欠き(22A,22B) 間の凸部(23,23) が該固定筒(12A) の係止凸部(18,18) 内側において該固定筒(12A) 端末のスカート部(17A,17B) 間に嵌合して、該固定筒(12A) の係止凸部(18,18) の軸心方向の変形を阻止するため、該固定筒(12A) が該取付け外筒(9) から外れるのを防止することが出来る。
【０００９】
【発明の実施の形態】
本発明を図１〜図７に示す実施例によって説明する。図１および図２に示す携帯用便器(1) において、図８〜図１０に示した従来例に対して、本実施例では図３に示すように、固定筒(12A) の下端には斜め四方向にそれぞれ切欠き(16,16) が設けられており、該切欠き(16,16) 間には前後および左右においてそれぞれ一対のスカート部(17A,17B) がＬ字状に外側に張出されて設けられており、該左右のスカート部(17B,17B) の下端には係止凸部(18,18) が設けられており、該左右スカート部(17B,17B) の係止凸部(18,18) は便器本体(2) の取付け外筒(9) の下端の係止切欠き部(10,10) に係止し、該固定筒(12A) の頭部上面には抜け止めピン(19)を挿通する頭部ピン孔(20)を有するピン挿通凸部(21)が凸設され、該ピン挿通凸部(21)には該抜け止めピン(19)上面に凸設されたピン係止凸部(191) が係止する。背もたれ(4) の取付け内筒(6A)の下端には前後および左右それぞれ一対の切欠き(22A,22B) が設けられており、該取付け内筒(6A)の切欠き(22A,22B) は該固定筒(12A) のスカート部(17A,17B) にそれぞれ嵌合する。
【００１０】
背もたれ(4) を便器本体(2) に取付けるには、図４〜図７に示すように、該便器本体(2) の取付け外筒(9,9) 内に固定筒(12A,12A) を挿入し、該固定筒(12A) の下端の係止凸部(18,18) を該取付け外筒(9) 下端の係止切欠き部(10,10) に係止し、更に該取付け外筒(9,9) 内には該固定筒(12A,12A) の外側に該背もたれ(4) の取付け内筒(6A,6A) を挿入し、該背もたれ(4) の取付け内筒(6A)上面開口部から外出する該固定筒(12A) の頭部ピン孔(20)に抜け止めピン(19)を挿通した状態で該取付け内筒(6A)の上面開口部に差渡す。
【００１１】
該便器本体(2) の取付け外筒(9) 内に挿入された該固定筒(12A) 下端の係止凸部(18,18) を該取付け外筒(9) 下端の係止切欠き部(10,10) に係止し、該取付け外筒(9) 内において該固定筒(12A) 外側に挿入された該背もたれ(4) の取付け内筒(6A)の開口部から外出する該固定筒(12A) 頭部ピン孔(20)に該抜け止めピン(19)を挿通した状態で該取付け内筒(6A)開口部に差渡すことによって該背もたれ(4) の取付け内筒(6A)を該便器本体(2) の取付け外筒(9) 内に嵌着固定するため、該抜け止めピン(19)を引抜くと該取付け内筒(6A)は着脱可能となり、該背もたれ(4) の両側辺部(5,5) 後側から手を差入れて該抜け止めピン(19,19) の抜き挿しを行えば、状況に応じて該背もたれ(4) を着脱することが出来る。
【００１２】
本実施例において、該背もたれ(4) の取付け内筒(6A)下端の切欠き(22A,22B) 間の凸部(23,23) が該固定筒(12A) の係止凸部(18,18) 内側において該固定筒(12A) 端末のスカート部(17A,17B) 間に嵌合して、該固定筒(12A) の係止凸部(18,18) の軸心方向の変形を阻止するため、該固定筒(12A) が該便器本体(2) の取付け外筒(9) から外れるのを防止することが出来る。
【００１３】
【発明の効果】
本発明では、背もたれ(4) の取付け内筒(6A,6A) を便器本体(2) の取付け外筒(9,9) に固定筒(12A,12A) を介して固定的に嵌着することが出来るとともに、抜け止めピン(19,19) を抜き挿しするだけで容易に背もたれ(4) を着脱することが可能となる。
【図面の簡単な説明】
図１〜図７は本発明の実施例を示すものである。
【図１】  携帯用便器の斜視図
【図２】  携帯用便器（背もたれを取外し状態）の分解斜視図
【図３】  背もたれ取付け構造の分解斜視図
【図４】  背もたれ取付け部分の後側からの斜視図
【図５】  背もたれ取付け構造の側断面図
【図６】  背もたれ取付け構造の正断面図
【図７】  背もたれ取付け構造の平面断面図
【図８】  従来例における携帯用便器（背もたれを取外し状態）の分解斜視図
【図９】  従来例における背もたれ取付け構造の分解斜視図
【図１０】  従来例における背もたれ取付け構造の側断面図
【符号の説明】
1           携帯用便器
2           便器本体
4           背もたれ
5           両側辺部
6A          取付け内筒
9           取付け外筒
10          係止切欠き部
12A         固定筒
16          切欠き
17A,17B     スカート部
18          係止凸部
19          抜け止めピン
20          ピン孔
22A,22B     切欠き
23          凸部
【図１】
0004380899.tif 000002
【図２】
0004380899.tif 000003
【図３】
0004380899.tif 000004
【図４】
0004380899.tif 000005
【図５】
0004380899.tif 000006
【図６】
0004380899.tif 000007
【図７】
0004380899.tif 000008
【図８】
0004380899.tif 000009
【図９】
0004380899.tif 000010
【図１０】
0004380899.tif 000011